(57)【要約】【課題】  ワイシャツの袖や胴部分を裏側に綺麗に折り畳みできるワイシャツ立体包装用のハンガー及びこのハンガーを用いてワイシャツをハンガーに着せたまま、綺麗に、また低コストで且つ自動で折り畳みできるワイシャツ立体包装機を提供する。【解決手段】  本発明のハンガー１は、左右の側縁１ｃから内方に一定の長さをあけた位置に、側部１ｄを後側に折り返すための折り返し用の境界部１ｅが、垂直線状に形成してある。この折り返し用の境界部１ｅを介して両側部１ｄを、後側に折り返し自在に形成する。また本発明のワイシャツ立体包装機３は、ワイシャツ２をハンガー１に着せたまま、折り返し機構５でハンガー１の両側部１ｄをワイシャツ２と一緒に後側に折り返し、包装するものである。【選択図】      図１
2005162288.tif 000002
【特許請求の範囲】
【請求項１】
ハンガーに着せたワイシャツの袖及び胴部分を後側に折り返し、縦長に折り畳まれたワイシャツを包装する際に用いるワイシャツ立体包装用のハンガーであって、左右の側縁から内方に一定の長さをあけた位置に、側部を後側に折り返すための折り返し用の境界部が垂直線状に形成され、この折り返し用の境界部を介して両側部が後側に折り返し自在に形成されていることを特徴とするワイシャツ立体包装用のハンガー。
【請求項２】
請求項１記載のワイシャツ立体包装用のハンガーを用いるワイシャツ立体包装機であって、ハンガーのフックを引っ掛けるためのフック掛け部が上部に設けられている縦長矩形状の起立板と、この起立板に吊るされたハンガーに着せられているワイシャツの袖及び胴部分を後側に交互に折り返し縦長に折り畳む折り返し機構とを備え、上記の起立板の横幅が、ハンガーの一方側の折り返し用の境界部から他方側の折り返し用の境界部までの長さと同一に形成され、上記の折り返し機構が、起立板の両側に起立状に配置されてワイシャツの袖と胴部分を前後から挟んで起立板の後側に折り返すための前側の折り返し板及び後側の折り返し板とを備えて形成され、前側の折り返し板がハンガーの側部を上端部が押圧する高さに形成されていることを特徴とするワイシャツ立体包装機。
【請求項３】
請求項２記載のワイシャツ立体包装機であって、前側の折り返し板が、後側の折り返し板に対して前後方向にスライドし接離動作自在に形成されていることを特徴とするワイシャツ立体包装機。
【請求項４】
請求項２又は３記載のワイシャツ立体包装機であって、包装されたワイシャツをハンガーごと引き上げて起立板のフック掛け部から取り外し排出する排出機構を備えて形成されていることを特徴とするワイシャツ立体包装機。
【発明の詳細な説明】
【技術分野】
【０００１】
本発明は、ワイシャツ立体包装用のハンガーに関し、更に詳しくは洗濯物であるワイシャツを着せたまま包装する際に使用するワイシャツ立体包装用のハンガー及びこのハンガーを用いてワイシャツを包装するためのワイシャツ立体包装機に関するものである。
【背景技術】
【０００２】
従来この種のハンガーとしては、例えば横長矩形枠の両端に、ワイシャツを裏側に折り返すためのガイド部が形成されているものがある（例えば特許文献１参照）。
また従来この種の包装機としては、同文献に記載されているように、ハンガーにワイシャツを着せ、懸吊したワイシャツの袖と胴部分を、ハンガーのガイド部に合わせて裏側に折り畳み、この折り畳んだワイシャツを上からすっぽり覆うための包装袋を上方に配置しているものがある。
また従来、例えばワイシャツを起立板に着せ、このワイシャツの袖及び胴部分を起立板の後側に折り返し、次にこのワイシャツをハンガーの矩形状の懸吊枠にくぐらせ、その後この二つ折りしたワイシャツをハンガーに吊るしたまま包装するよう形成した、本出願人の提案に係る包装機も知られている（特許文献２参照）。
【特許文献１】特開平５−２１３３１６号公報
【特許文献２】特開平９−１３２２１０号公報
【発明の開示】
【発明が解決しようとする課題】
【０００３】
しかし特許文献１記載のハンガー及び包装機は、ワイシャツをハンガーの折り返し用のガイド部に合わせて後側に折り返すのに過ぎなかった。従ってこれによると、折り返した袖や胴部分が横側に食み出る場合があり、折り畳み状態が崩れて見栄えが悪くなったり、また人手で裏側に折り返すため、折り返し作業に手間暇がかかり、作業能率が上がらない、という問題点があった。
これに対し、特許文献２記載の従来機は、袖や胴部分の折り畳み作業を自動化しているため、ワイシャツの袖等の折り返し作業を迅速に、且つ能率良くできる。但し、この従来機の場合は、特許文献１記載の従来機のようにハンガーにワイシャツを着せた状態で包装するものではなく、ハンガーの矩形状の懸吊枠に折り畳んだワイシャツをくぐらせ、二つ折りした状態で包装するものであった。そのためこの従来機の場合は、ワイシャツを起立板に着せて縦長に折り畳んだ後、起立板からワイシャツの両肩をクランプして引き上げ、ハンガーの懸吊枠にワイシャツをくぐらせる機構が必要になったから、これによると、その分、構造の複雑化、高コスト化を避けられなかった。
【０００４】
本発明は、このような従来技術の問題点に鑑み、提案されたものである。
従って本発明の解決しようとする技術的課題は、ワイシャツの袖や胴部分を裏側に綺麗に折り畳みできるよう形成したワイシャツ立体包装用のハンガー及びこのハンガーを用いてワイシャツをハンガーに着せたまま、綺麗に、また低コストで且つ自動で折り畳みできるよう形成したワイシャツ立体包装機を提供することにある。
【課題を解決するための手段】
【０００５】
本発明は、上記の課題を解決するため、次のような技術的手段を採る。
即ち本発明は、図１等に示されるように、ハンガー１に着せたワイシャツ２の袖及び胴部分を後側に折り返し、縦長に折り畳まれたワイシャツ２を包装する際に用いるワイシャツ立体包装用のハンガー１であって、左右の側縁１ｃから内方に一定の長さをあけた位置に、側部１ｄを後側に折り返すための折り返し用の境界部１ｅが垂直線状に形成され、この折り返し用の境界部１ｅを介して両側部１ｄが後側に折り返し自在に形成されていることを特徴とする（請求項１）。
【０００６】
本発明の場合、折り返し用の境界部１ｅは、例えば樹脂製ハンガー１の当該箇所を薄肉状に形成したり、軸でヒンジ状に形成することで実現される。この折り返し用の境界部１ｅは、左右位置に１箇所づつ形成される場合には限られず、例えば数ミリから１０ミリ程度の間隔ｄをあけて左右位置に平行状に２箇所づつ形成され、左右位置が夫々２段階に折り返されるよう形成されているのでも良い。
【０００７】
また請求項１記載のワイシャツ立体包装用のハンガー１を用いるワイシャツ立体包装機３としては、ハンガー１のフック１ａを引っ掛けるためのフック掛け部４ａが上部に設けられている縦長矩形状の起立板４と、この起立板４に吊るされたハンガー１に着せられているワイシャツ２の袖及び胴部分を後側に交互に折り返し縦長に折り畳む折り返し機構５とを備え、上記の起立板４の横幅が、ハンガー１の一方側の折り返し用の境界部１ｅから他方側の折り返し用の境界部１ｅまでの長さＤと同一に形成され、上記の折り返し機構５が、起立板４の両側に起立状に配置されてワイシャツ２の袖と胴部分を前後から挟んで起立板４の後側に折り返すための前側の折り返し板５ａ及び後側の折り返し板５ｂとを備えて形成され、前側の折り返し板５ａがハンガー１の側部１ｄを上端部が押圧する高さに形成されていることを特徴とするものがある（請求項２）。
【０００８】
ここで、起立板４の横幅が、ハンガー１の一方側の折り返し用の境界部１ｅから他方側の折り返し用の境界部１ｅまでの長さＤと同一に形成され、とは、ハンガー１の折り返し用の境界部１ｅが起立板４の両側縁に合わされ、ワイシャツ２の袖及び胴部分が起立板４の両側縁に沿って後側に折り返されると、ハンガー１の両側部１ｄも境界部１ｅから後側に折り返される、ということを意味する。なお前側の折り返し板５ａと後側の折り返し板５ｂは、通常、起立板４の下部に配置されるシリンダやモータ等によって回動される。
【０００９】
また本発明の包装機３は、前側の折り返し板５ａが、後側の折り返し板５ｂに対して前後方向にスライドし接離動作自在に形成されているのが好ましい（請求項３）。
なぜならこれによると、ワイシャツ２をハンガー１に着せたり、包装後のワイシャツ２をハンガー１と一緒に排出する際、これらの操作を容易化、円滑化できるからである。
【００１０】
また請求項２又は３記載の本発明の包装機３は、包装されたワイシャツ２をハンガー１ごと引き上げて起立板４のフック掛け部４ａから取り外し排出する排出機構１２を備えて形成されているのが好ましい（請求項４）。
なぜならこれによると、作業を迅速化、効率化でき、包装作業の能率を上げることができるからである。
【発明の効果】
【００１１】
本発明のハンガーは、このように構成されているから、ワイシャツの袖の肩部と一緒に両側部が折り返し用の境界部から後側に折り返される。従ってこれによれば、袖が確実に内方に配置され、折り畳まれたワイシャツの横から袖等が食み出ることを防止でき、折り畳まれたワイシャツの肩部にボリューム感が生じて綺麗な洗濯包装品を提供できる。
また本発明のワイシャツ立体包装機は、ワイシャツをハンガーに着せたまま、折り返し機構でハンガーの両側部をワイシャツと一緒に後側に折り返し、包装するものである。従ってこれによれば、ワイシャツをハンガーと一緒に綺麗に、また比較的簡単な構成で、自動で且つ低コストで折り畳みでき、美しい洗濯包装品を提供できる。
【発明を実施するための最良の形態】
【００１２】
以下、本発明を実施するための最良の形態を説明する。
図１等において、１は例えば樹脂材で形成された本発明のハンガーであり、２はこのハンガー１に着せられたワイシャツである。このワイシャツ２の袖及び胴部分は、本発明のワイシャツ立体包装機３により、後側に折り返されて縦長に折り畳まれ、ハンガー１はワイシャツ２と一緒に包装される。
【００１３】
ハンガー１のフック１ａの基部にはワイシャツ２の襟当て部１ｂが一体成形されている。またこのハンガー１は、左右の側縁１ｃから内方に一定の長さをあけた位置に、側部１ｄを後側に折り返すための折り返し用の境界部１ｅが垂直線状に形成されている。この折り返し用の境界部１ｅは、この実施形態では薄肉状に形成され、間隔ｄを約１０ミリあけて平行一対状に２本形成されている。これにより本発明のハンガー１は、両側部１ｄが折り返し用の境界部１ｅを介して後側に、２段階に折り返されるよう形成されている。
【００１４】
本発明のハンガー１を用いるワイシャツ立体包装機３は、ハンガー１のフック１ａを引っ掛けるためのフック掛け部４ａが上部に設けられている縦長矩形状の起立板４と、この起立板４に吊るされたハンガー１に着せられているワイシャツ２の袖及び胴部分を後側に交互に折り返し、縦長に折り畳む折り返し機構５とを備えて形成されている。
【００１５】
上記の起立板４は、その横幅がハンガー１の一方側の折り返し用の境界部１ｅから他方側の折り返し用の境界部１ｅまでの長さＤ（図１Ａ参照）と同一に形成されている。またこの起立板４は、シリンダ装置６によって、ハンガー１にワイシャツ２を装着する際は前側の装着位置Ａ（図９参照）に、包装時は後方の包装位置Ｃに、そして包装後にワイシャツ２をハンガー１と一緒に引き上げて排出するときは排出位置Ｂに、夫々スライドして配置されるよう形成されている。
【００１６】
また上記の折り返し機構５は、起立板４の両側に起立状に配置されてワイシャツ２の袖と胴部分を前後から挟んで起立板４の後側に折り返すための前側の折り返し板５ａ及び後側の折り返し板５ｂと、またこの実施形態ではこの前後一対の折り返し板５ａ、５ｂと共に回動し、起立板４の後側に折り返されたワイシャツ２の袖を押えるための袖押え板５ｃとを備えて形成されている。そしてこの折り返し機構５は、起立板４と同じベース上に設けられ、上記のシリンダ装置６によって起立板４と一緒に進退動作するよう形成されている。
【００１７】
而して前側の折り返し板５ａは、図１Ｂ、図６等に示されるように、ハンガー１の側部１ｄを上端部が押圧する高さに形成されている。またこの前側の折り返し板５ａは、ハンガー１へのワイシャツ２の装着が容易になるよう、後側の折り返し板５ｂに対してエアシリンダ７（図１Ｂ、図８参照）によって前後方向にスライドし接離動作自在に形成されている。エアシリンダ７は、ロッドの先端が前側の折り返し板５ａの下部に連結され、起立板４の下部の左右位置に、ロッドを前方に向けて水平に配置されている。
【００１８】
８（図１Ｂ、図４等参照）は、前後一対の折り返し板５ａ、５ｂと袖押え板５ｃを起立板４の後側に回動させるための動作シリンダである。この動作シリンダ８は、図示されるように、ロッドが交差するよう起立板４の下部に配置され、ロッドの先端に連結されたラック９（図１２参照）がピニオン１０と噛み合わされ、ロッドの伸縮動作でピニオン１０を回転させ、このピニオン１０の軸に連結された前後一対の折り返し板５ａ、５ｂ等を、起立板４の左右位置と後側位置との間で回動させるものである。
【００１９】
また本発明の包装機３は、包装機構１１（図３等参照）で包装されたワイシャツ２を、フック掛け部４ａからハンガー１ごと引き上げて排出させる排出機構１２（図２、図３等参照）を備えて形成されている。この排出機構１２は、ハンガー１のフック１ａに差し込まれる嘴状の引っ掛け部材１２ａと、この引っ掛け部材１２ａを昇降動作させるためのロッドレスシリンダ１２ｂと、このロッドレスシリンダ１２ｂで引き上げられたハンガー１を、装置の後方にフック１ａを滑らせて排出するための傾斜状の棒部材１２ｃとを備えて形成されている。
【００２０】
上記の引っ掛け部材１２ａは、先端が水平より幾分昇り傾斜状に配置され、ロッドレスシリンダ１２ｂによって上昇後、フレーム１５の上部に設けられた側面視逆三角形状の下向き突起１３（図４参照）の側縁に所定箇所が係合すると、枢着軸１４（図１４参照）を中心に、先端が下方（図面上、時計方向）に少し回動するよう形成されている。またロッドレスシリンダ１２ｂは、フレーム１５に垂直状に設けられ、引っ掛け部材１２ａはこのロッドレスシリンダ１２ｂの昇降動作するマウント１２ｂ１（図１３参照）に取り付けられている。また棒部材１２ｃは、ロッドレスシリンダ１２ｂの上端部から装置の後方に向かって下り勾配に設けられている。従ってロッドレスシリンダ１２ｂの作用で上昇したハンガー１は、突起１３で引っ掛け部材１２ａの先端が下方に傾くと、引っ掛け部材１２ａからフック１ａが外れて棒部材１２ｃに受け渡され、この棒部材１２ｃを伝わって滑り落ち、排出されるものである。
【００２１】
また１６（図２、図４、図５等参照）は、包装されたワイシャツ２を、棒部材１２ｃと協働して円滑に後方に送り出すためのベルトコンベアである。このベルトコンベア１６は、起立板４の後方の上部に、後端が上向きに傾斜されて設けられ、モータ１７（図５参照）の駆動で上面が後方に向かって回動するよう形成されている。ワイシャツ２の下部は、棒部材１２ｃを伝わってハンガー１が滑り落ちる際、このコンベア１６の上面に載せられて後方に送られるものである。
【００２２】
次に本発明の作用を説明する。
先ず作業者は、ハンガー１にワイシャツ２を着せ、襟元のボタンを止めてから、起立板４のフック掛け部４ａにハンガー１を掛ける。このとき前側の折り返し板５ａは、ハンガー１の引っ掛け作業等が容易になるよう、前方に配置されている。次に作業者が、スイッチを入れると、エアシリンダ７のロッドが収縮して前側の折り返し板５ａが後側の折り返し板５ｂに接近し、前後一対の折り返し板５ａ、５ｂの間にワイシャツ２の袖及び胴部分が挟まれる。そしてこの状態で一方側の動作シリンダ８、次に他方側の動作シリンダ８の順に、各動作シリンダ８のロッドが延伸する。これにより前後一対の折り返し板５ａ、５ｂと袖押え板５ｃが、起立板４の後側に順次回動配置され、ワイシャツ２の袖と胴部分が折り返される。
【００２３】
この場合本発明では、前側の折り返し板５ａの上端部によってハンガー１の両側部１ｄが、折り返し用の境界部１ｅを介してワイシャツ２と一緒に後側に折り返される。この実施形態では、上記の通り、折り返し用の境界部１ｅが左右位置に平行一対状に２本形成されているため、ハンガー１の両側部１ｄは、夫々、内側、外側の境界部１ｅの順に、２段階に後側に折り返される。また起立板４の後側に折り返された袖は、ばらけないよう袖押え板５ｃで押えられる。
【００２４】
次にシリンダ装置６が駆動し、起立板４が前後一対の折り返し板５ａ、５ｂ等と一緒に後方にスライド移動し、包装位置Ｃ（図９参照）に配置される。ワイシャツ２は、この位置で上から筒状の樹脂袋１１ａ（図３参照）が引き下ろされてすっぽり覆われ、フック１ａを樹脂袋１１ａから露出させた状態で上部が溶着されて閉じられ、包装される。その後、シリンダ装置６が駆動して起立板４が前方にスライド移動し、ロッドレスシリンダ１２ｂの下方の排出位置Ｂに包装済みのワイシャツ２が配置される。このときロッドレスシリンダ１２ｂのマウント１２ｂ１は、下降位置に配置されている。従ってこのマウント１２ｂ１に取り付けられている引っ掛け部材１２ａの先端が、前進した起立板４のフック掛け部４ａに引っ掛けられているハンガー１のフック１ａに挿し込まれる。これをセンサが検出すると、マウント１２ｂ１が上昇し、ハンガー１が引き上げられる。そして引っ掛け部材１２ａの所定箇所が、突起１３の側縁に係合すると、枢着軸１４を中心に引っ掛け部材１２ａの先端が徐々に下方に回動し、押し下げられる。これによりハンガー１のフック１ａが引っ掛け部材１２ａから外れて、棒部材１２ｃに受け渡され、ハンガー１が棒部材１２ｃに案内されて滑り落ちる。このときワイシャツ２の下部はベルトコンベア１６に載せられて後方に送られ、ワイシャツ２は傾斜しながら後方に円滑に排出される。
【００２５】
以上の処において、本発明のハンガー１は、折り返し用の境界部１ｅが左右位置に、夫々１箇所づつ形成されているのでも良い。但し、上例のように２箇所づつ形成される場合は、２段階に折り返すことが可能になるため、折り返し位置に余裕ができ、側部１ｄを円滑、容易に折り返すことができる。
【００２６】
また本発明の包装機３は、前側の折り返し板５ａをエアシリンダ７で前後方向に進退動作させるのに代え、例えばワイシャツ２の装着時は上端部を外側方に傾倒させ、装着後は内方に引き寄せて起立状に配置できるよう、左右方向に傾倒自在に形成するのでも良い。
【図面の簡単な説明】
【００２７】
【図１】本発明の好適な一実施形態を示し、Ａはハンガーの正面図、Ｂは包装機の要部斜視図である。
【図２】本発明の包装機の正面図である。
【図３】同上包装機の側面図である。
【図４】同上包装機の斜視図である。
【図５】同上包装機の平面図である。
【図６】同上包装機の要部正面図である。
【図７】同上包装機の要部背面図である。
【図８】同上包装機の要部側面図である。
【図９】同上包装機の要部側面図である。
【図１０】同上包装機の要部平面図である。
【図１１】同上包装機の要部正面図である。
【図１２】同上包装機の要部平面図である。
【図１３】同上包装機の要部正面図である。
【図１４】同上包装機の要部側面図である。
【符号の説明】
【００２８】
１      ハンガー
１ａ    フック
１ｂ    襟当て部
１ｃ    側縁
１ｄ    側部
１ｅ    折り返し用の境界部
２      ワイシャツ
３      ワイシャツ立体包装機
４      起立板
４ａ    フック掛け部
５      折り返し機構
５ａ    前側の折り返し板
５ｂ    後側の折り返し板
Ｄ      長さ
【図１】
2005162288.tif 000003
【図２】
2005162288.tif 000004
【図３】
2005162288.tif 000005
【図４】
2005162288.tif 000006
【図５】
2005162288.tif 000007
【図６】
2005162288.tif 000008
【図７】
2005162288.tif 000009
【図８】
2005162288.tif 000010
【図９】
2005162288.tif 000011
【図１０】
2005162288.tif 000012
【図１１】
2005162288.tif 000013
【図１２】
2005162288.tif 000014
【図１３】
2005162288.tif 000015
【図１４】
2005162288.tif 000016